(57)【要約】  ＣＲＣ判定のためのＭＡＣ  ＰＤＵ長分のバッファの省略化および当該バッファへのデータの出し入れに伴う処理遅延を解消する。無線通信装置は、Ｍｅｄｉｕｍ  Ａｃｃｅｓｓ  Ｃｏｎｔｒｏｌレイヤ（ＭＡＣ  レイヤ）における、ＭＡＣレイヤのデータ処理単位（ＰＤＵ）の誤り検出処理の完了を待たずに、Ｒａｄｉｏ  Ｌｉｎｋ  Ｃｏｎｔｒｏｌレイヤ（ＲＬＣ  レイヤ）にて、ＲＬＣレイヤのデータ処理単位であるＲＬＣ  ｄａｔａ  ＰＤＵを解析してバッファしておき、ＲＬＣレイヤで、前記ＭＡＣレイヤにおけるＭＡＣ  ＰＤＵの誤り検出処理の結果を参照して、誤りのなかったＲＬＣ  ｄａｔａ  ＰＤＵを用いて、ＲＬＣ  Ｓｅｒｖｉｃｅ  Ｄａｔａ  Ｕｎｉｔ（ＲＬＣ  ＳＤＵ）を作成する。
2010137644.tif 000002
【特許請求の範囲】
【請求項１】
Ｍｅｄｉｕｍ  Ａｃｃｅｓｓ  Ｃｏｎｔｒｏｌレイヤ（ＭＡＣレイヤ）における、ＭＡＣレイヤのデータ処理単位（ＰＤＵ）に付された誤り検出符号を用いた誤り検出処理の完了を待たずに、Ｒａｄｉｏ  Ｌｉｎｋ  Ｃｏｎｔｒｏｌレイヤ（ＲＬＣレイヤ）にて、ＲＬＣレイヤのデータ処理単位であるＲＬＣ  ｄａｔａ  ＰＤＵを解析してバッファしておき、
ＲＬＣレイヤで、前記ＭＡＣレイヤにおけるＭＡＣ  ＰＤＵの誤り検出処理の結果を参照して、誤りのなかったＲＬＣ  ｄａｔａ  ＰＤＵを用いて、ＲＬＣ  Ｓｅｒｖｉｃｅ  Ｄａｔａ  Ｕｎｉｔ（ＲＬＣ  ＳＤＵ）を作成すること、
を特徴とする無線通信装置。
【請求項２】
復調された受信信号を復号して得られたＭＡＣ  ＰＤＵを、ＭＡＣ  ＰＤＵ解析部に出力してから、Ｃｙｃｌｉｃ  Ｒｅｄｕｎｄａｎｃｙ  Ｃｈｅｃｋ検査結果（ＣＲＣ検査結果）を算出する復号部と、
前記入力されたＭＡＣ  ＰＤＵからＲＬＣ  ｄａｔａ  ＰＤＵを抽出して解析するＭＡＣ  ＰＤＵ解析部と、
前記復号部にて算出されたＣＲＣ検査結果に基づいて、ＲＬＣ  ｄａｔａ  ＰＤＵからＲＬＣ  ＳＤＵの作成またはＲＬＣ  ｄａｔａ  ＰＤＵの廃棄を実行するＲＬＣ  ＳＤＵ作成命令部と、を備える請求項１の無線通信装置。
【請求項３】
さらに、
前記ＭＡＣ  ＰＤＵ解析部によって、ＲＬＣ  ｄａｔａ  ＰＤＵから抽出されたＲＬＣヘッダを格納するＲＬＣヘッダ格納部と、
前記復号部にて算出されたＣＲＣ検査結果を参照して、前記ＲＬＣヘッダ格納部に格納されたＲＬＣヘッダに、ＣＲＣ検査結果を書き込むＣＲＣ結果抽出部と、を備え、
前記ＲＬＣ  ＳＤＵ作成命令部は、前記ＲＬＣヘッダを参照して、ＣＲＣ検査結果が正常であったか否かを判断する請求項２の無線通信装置。
【請求項４】
前記ＭＡＣ  ＰＤＵ解析部は、入力されたＭＡＣ  ＰＤＵのサブヘッダ数が所定の上限値を超えた場合、当該ＭＡＣ  ＰＤＵを廃棄する請求項２または３の無線通信装置。
【請求項５】
前記ＭＡＣ  ＰＤＵ解析部は、入力されたＭＡＣ  ＰＤＵのサイズまたはＭＡＣ  ＰＤＵサブヘッダ内のＬフィールドの値の和が所定の上限値を超えた場合、当該ＭＡＣ  ＰＤＵを廃棄する請求項２から４いずれか一の無線通信装置。
【請求項６】
Ｍｅｄｉｕｍ  Ａｃｃｅｓｓ  Ｃｏｎｔｒｏｌレイヤ（ＭＡＣレイヤ）における、ＭＡＣレイヤのデータ処理単位（ＰＤＵ）に付された誤り検出符号を用いた誤り検出処理の完了を待たずに、Ｒａｄｉｏ  Ｌｉｎｋ  Ｃｏｎｔｒｏｌレイヤ（ＲＬＣレイヤ）にて、ＲＬＣレイヤのデータ処理単位であるＲＬＣ  ｄａｔａ  ＰＤＵを解析してバッファしておくステップと、
ＲＬＣレイヤで、前記ＭＡＣレイヤにおけるＭＡＣ  ＰＤＵの誤り検出処理の結果を参照して、誤りのなかったＲＬＣ  ｄａｔａ  ＰＤＵを用いて、ＲＬＣ  Ｓｅｒｖｉｃｅ  Ｄａｔａ  Ｕｎｉｔ（ＲＬＣ  ＳＤＵ）を作成するステップと、を含むこと、
を特徴とするデータ受信方法。
【請求項７】
さらに、入力されたＭＡＣ  ＰＤＵのサブヘッダ数が所定の上限値を超えた場合、当該ＭＡＣ  ＰＤＵを廃棄するステップを含む請求項６のデータ受信方法。
【請求項８】
さらに、入力されたＭＡＣ  ＰＤＵのサイズまたはＭＡＣ  ＰＤＵサブヘッダ内のＬフィールドの値の和が所定の上限値を超えた場合、当該ＭＡＣ  ＰＤＵを廃棄するステップを含む請求項６または７のデータ受信方法。
【発明の詳細な説明】
【技術分野】
【０００１】
［関連出願についての記載］
本発明は、日本国特許出願：特願２００９−１２８０３６号（２００９年  ５月２７日出願）の優先権主張に基づくものであり、同出願の全記載内容は引用をもって本書に組み込み記載されているものとする。
本発明は、無線通信装置およびデータ受信方法に関し、特に、３ＧＰＰ（３ｒｄ  Ｇｅｎｅｒａｔｉｏｎ  Ｐａｒｔｎｅｒｓｈｉｐ  Ｐｒｏｊｅｃｔ）にて規定されたＭＡＣ（Ｍｅｄｉｕｍ  Ａｃｃｅｓｓ  Ｃｏｎｔｒｏｌ）プロトコルおよびＲＬＣ（Ｒａｄｉｏ  Ｌｉｎｋ  Ｃｏｎｔｒｏｌ）プロトコルを用いる無線通信装置およびデータ受信方法に関する。
【背景技術】
【０００２】
非特許文献１および非特許文献２に、ＲＬＣプロトコルおよびＭＡＣプロトコルの仕様が規定されている。これらのプロトコルでは、各レイヤ毎に、ＰＤＵ（Ｐｒｏｔｏｃｏｌ  Ｄａｔａ  Ｕｎｉｔ）というデータ処理単位が決められている（非特許文献１、２の「６  Ｐｒｏｔｏｃｏｌ  ｄａｔａ  ｕｎｉｔｓ，ｆｏｒｍａｔｓ  ａｎｄ  ｐａｒａｍｅｔｅｒｓ」の項参照）。ＲＬＣレイヤのＰＤＵをＲＬＣ  ＰＤＵ、ＭＡＣレイヤのＰＤＵをＭＡＣ  ＰＤＵという。また、ＲＬＣ  ＰＤＵには、データを格納したＲＬＣ  ｄａｔａ  ＰＤＵと、制御に用いるＲＬＣ  ｃｏｎｔｒｏｌ  ＰＤＵとがある。【０００３】
特許文献１には、ＭＡＣレイヤに再送機能を持たせたＨＳＤＰＡ（Ｈｉｇｈ  Ｓｐｅｅｄ  Ｄｏｗｎｌｉｎｋ  Ｐａｃｋｅｔ  Ａｃｃｅｓｓ）受信者装置において、ＭＡＣ層からＲＬＣ層にデータユニット及び該データユニットに関連したＣＲＣ（Ｃｙｃｌｉｃ  Ｒｅｄｕｎｄａｎｃｙ  Ｃｏｄｅ）チェック結果を転送する過程と、ＲＬＣ層において、前記ＭＡＣ層から転送されたＣＲＣチェック結果が前記データユニットにエラーがあるか否かを示すかを判断する過程と、前記データユニットにエラーがあり、かつエラーハンドリング方法が提供されていない場合、前記データユニットを廃棄する過程とからなることを特徴とする無線通信システムにおける受信者装置のデータ処理方法が開示されている。
【先行技術文献】
【特許文献】
【０００４】
【特許文献１】特表２００６−５１４８１７号公報
【非特許文献】
【０００５】
【非特許文献１】３ＧＰＰ  ＴＳ  ３６．３２２  Ｖ８．５．０、２００９年  ３月、Ｒａｄｉｏ  Ｌｉｎｋ  Ｃｏｎｔｒｏｌ（ＲＬＣ）  ｐｒｏｔｏｃｏｌ  Ｓｐｅｃｉｆｉｃａｔｉｏｎ
【０００６】
【非特許文献２】３ＧＰＰ  ＴＳ  ３６．３２１  Ｖ８．５．０、２００９年  ３月、Ｍｅｄｉｕｍ  Ａｃｃｅｓｓ  Ｃｏｎｔｒｏｌ（ＭＡＣ）  ｐｒｏｔｏｃｏｌ  Ｓｐｅｃｉｆｉｃａｔｉｏｎ
【発明の概要】
【発明が解決しようとする課題】
【０００７】
上記特許文献１及び非特許文献１〜２の全開示内容はその引用をもって本書に繰込み記載する。以下に本発明による分析を与える。
上記ＲＬＣおよびＭＡＣプロトコルを用いた無線通信装置（移動局）と、基地局の動作について説明する。図３は、送信側装置のＲＬＣおよびＭＡＣ送信処理部の構成例を示している。図４は受信側装置のＲＬＣおよびＭＡＣ受信処理部の構成例を示している。【０００８】
図３のＭＡＣ  ＰＤＵ作成部２０２は、ＲＬＣ  ＳＤＵバッファ２０１からＲＬＣ  ＳＤＵを取り出し、これにＲＬＣヘッダを付加し、ＲＬＣ  ｄａｔａ  ＰＤＵを作成する。ＭＡＣ  ＰＤＵ作成部２０２は、このＲＬＣ  ｄａｔａ  ＰＤＵに対応するＭＡＣサブヘッダを付加し、さらにパディングで長さを調整し、ＭＡＣ  ＰＤＵを作成する。【０００９】
図５は、ＭＡＣ  ＰＤＵ作成部２０２にて作成されるＭＡＣ  ＰＤＵの例である。図５の例では、３つのＲＬＣ  ＳＤＵ１〜３を結合し、ＲＬＣヘッダを付加したものをＲＬＣ  ｄａｔａ  ＰＤＵとし、ＲＬＣ  ｄａｔａ  ＰＤＵの後にパディングを付加している。ＲＬＣ  ｄａｔａ  ＰＤＵ（ＭＡＣ  ＳＤＵ）に対応するＭＡＣサブヘッダ１、パディングに対応するＭＡＣサブヘッダ２を付加し、ＭＡＣ  ＰＤＵとしている。【００１０】
その後、図３のＣＲＣ付加部２０３にてＭＡＣ  ＰＤＵに、誤り検出符号としてＣＲＣを付加し、符号化部２０４にてターボ符号などで符号化し、変調部２０５にて変調を施すことで、送信信号が生成される。【００１１】
このような信号が図４の受信側装置にて受信されると、まず復調部Ｘ１０１で復調された後、復号部Ｘ１０２にて復号され、次いでＣＲＣ判定部Ｘ１１０にてＭＡＣ  ＰＤＵのＣＲＣ検査が行われる。このＣＲＣ検査結果において誤り検出という結果が出なければ、復号したＭＡＣ  ＰＤＵはＭＡＣ  ＰＤＵ解析部Ｘ１０３に入力される。【００１２】
ＭＡＣ  ＰＤＵ解析部Ｘ１０３は、多重を分解し、ＲＬＣ  ｄａｔａ  ＰＤＵをＲＬＣ  ＰＤＵバッファ管理部Ｘ１０５に渡す。ＲＬＣ  ＰＤＵバッファ管理部Ｘ１０５はＲＬＣ  ｄａｔａ  ＰＤＵをＲＬＣ  ＳＤＵバッファＸ１０６の空き領域に格納する。また、ＭＡＣ  ＰＤＵ解析部Ｘ１０３は、ＲＬＣ  ｄａｔａ  ＰＤＵのＲＬＣヘッダをＲＬＣ  作成命令部Ｘ１０８に通知する。ＲＬＣ  作成命令部Ｘ１０８は、ＲＬＣヘッダを解析し、ＲＬＣ  ＰＤＵからＲＬＣ  ＳＤＵを作成するための情報をＲＬＣ  ＳＤＵバッファ管理部Ｘ１０５に与える。ＲＬＣ  ＰＤＵバッファ管理部Ｘ１０５はこの情報をもとにＲＬＣ  ＳＤＵを構築に必要なＲＬＣ  ｄａｔａ  ＰＤＵをＲＬＣ  ＳＤＵ作成部Ｘ１０９に渡す。ＲＬＣ  ＳＤＵ作成部Ｘ１０９はＲＬＣ  ｄａｔａ  ＰＤＵを結合し、ＲＬＣ  ＳＤＵを再構築する。【００１３】
上記のとおり、ＭＡＣ  ＰＤＵの受信側装置では、ＭＡＣ  ＰＤＵのＣＲＣ検査を行い、その検査結果において誤りがないことを確認してから、ＭＡＣ  ＰＤＵをＭＡＣ  ＰＤＵ解析部Ｘ１０３に入力しＲＬＣ  ＳＤＵを作成する構成となっている。【００１４】
しかしながら、ＣＲＣ検査を開始し算出完了できるのは、ＭＡＣ  ＰＤＵ全体を復号し終えた後である。このため、ＣＲＣ検査結果が算出されるまで、復号したＭＡＣ  ＰＤＵを格納しておくバッファが必要になり、ＣＲＣ判定部Ｘ１１０にＭＡＣ  ＰＤＵ長分のバッファ用メモリが必要になるという問題点がある。【００１５】
また、前記バッファにデータを格納し、ＣＲＣ検査結果において誤りが検出されなかった後、当該バッファから再度取り出し、ＭＡＣ  ＰＤＵ解析部Ｘ１０３に送信するため、当該バッファへの格納、ＣＲＣ検査結果待ち、バッファからの取り出しという操作が必要であり、バッファ格納からバッファ取り出しまでの時間分の処理遅延が生じるという問題点がある。【００１６】
本発明は、上記した事情に鑑みてなされたものであって、その目的とするところは、ＣＲＣに代表される誤り検出処理のためのＭＡＣ  ＰＤＵ長分のバッファを不要とし、また当該バッファへのデータの出し入れに伴う処理遅延を解消することのできる構成および方法を提供することにある。
【課題を解決するための手段】
【００１７】
本発明の第１の視点によれば、Ｍｅｄｉｕｍ  Ａｃｃｅｓｓ  Ｃｏｎｔｒｏｌレイヤ（ＭＡＣレイヤ）における、ＭＡＣレイヤのデータ処理単位（ＰＤＵ）に付された誤り検出符号を用いた誤り検出処理の完了を待たずに、Ｒａｄｉｏ  Ｌｉｎｋ  Ｃｏｎｔｒｏｌレイヤ（ＲＬＣレイヤ）にて、ＲＬＣレイヤのデータ処理単位であるＲＬＣ  ｄａｔａ  ＰＤＵを解析してバッファしておき、ＲＬＣレイヤで、前記ＭＡＣレイヤにおけるＭＡＣ  ＰＤＵの誤り検出処理の結果を参照して、誤りのなかったＲＬＣ  ｄａｔａ  ＰＤＵを用いて、ＲＬＣ  Ｓｅｒｖｉｃｅ  Ｄａｔａ  Ｕｎｉｔ（ＲＬＣ  ＳＤＵ）を作成する無線通信装置が提供される。【００１８】
本発明の第２の視点によれば、Ｍｅｄｉｕｍ  Ａｃｃｅｓｓ  Ｃｏｎｔｒｏｌレイヤ（ＭＡＣレイヤ）における、ＭＡＣレイヤのデータ処理単位（ＰＤＵ）に付された誤り検出符号を用いた誤り検出処理の完了を待たずに、Ｒａｄｉｏ  Ｌｉｎｋ  Ｃｏｎｔｒｏｌレイヤ（ＲＬＣレイヤ）にて、ＲＬＣレイヤのデータ処理単位であるＲＬＣ  ｄａｔａ  ＰＤＵを解析してバッファしておくステップと、ＲＬＣレイヤで、前記ＭＡＣレイヤにおけるＭＡＣ  ＰＤＵの誤り検出処理の結果を参照して、誤りのなかったＲＬＣ  ｄａｔａ  ＰＤＵを用いて、ＲＬＣ  Ｓｅｒｖｉｃｅ  Ｄａｔａ  Ｕｎｉｔ（ＲＬＣ  ＳＤＵ）を作成するステップと、を含むデータ受信方法が提供される。
【発明の効果】
【００１９】
本発明によれば、誤り検出処理のためのＭＡＣ  ＰＤＵ長分のバッファはもちろん、当該バッファへのデータの出し入れも不要となる。その理由は、ＣＲＣ検査の完了を待たずに、ＭＡＣ  ＰＤＵに含まれるＲＬＣ  ｄａｔａ  ＰＤＵを解析・バッファしておき、前記バッファしておいたＲＬＣ  ｄａｔａ  ＰＤＵを用いて、ＲＬＣ  ＳＤＵを作成するよう構成したことにある。
【図面の簡単な説明】
【００２０】
【図１】本発明の概要を説明するためのブロック図である。
【図２】本発明の第１の実施形態の構成を表したブロック図である。
【図３】無線通信装置（移動局）のＲＬＣおよびＭＡＣ送信処理部の構成例を示す図である。
【図４】基地局のＲＬＣおよびＭＡＣ受信処理部の構成例を示す図である。
【図５】ＭＡＣ  ＰＤＵの構成を説明するための図である。
【発明を実施するための形態】
【００２１】
はじめに、本発明の概要について説明する。図１に示すとおり、本発明に係る無線通信装置は、受信信号の復調・復号が済むと、ＲＬＣレイヤにあるＭＡＣ  ＰＤＵ解析部１０３ａにＭＡＣ  ＰＤＵを出力する回路構成を有する。ＭＡＣ  ＰＤＵ解析部１０３ａは、ＭＡＣ  ＰＤＵからＲＬＣ  ｄａｔａ  ＰＤＵを抽出しＲＬＣ  ＰＤＵバッファ管理部Ｘ１０５を介してＲＬＣ  ＰＤＵバッファＸ１０６に格納する。そして、同じくＲＬＣレイヤにあるＲＬＣ  ＳＤＵ作成命令部１０８ａが、ＣＲＣ検査結果に応じて、前記格納しておいたＲＬＣ  ｄａｔａ  ＰＤＵを用いたＲＬＣ  ＳＤＵの作成またはＲＬＣ  ｄａｔａ  ＰＤＵの廃棄を命令する。
【００２２】
なお、図１に示すように、復号部１０２ａがＣＲＣ検査を行うものとしてもよいし、または、別途ＣＲＣ検査を実行する処理手段を設ける構成としてもよい。
【００２３】
以上により、ＣＲＣ検査結果が出るまでＭＡＣ  ＰＤＵを保持するバッファおよび当該バッファへのデータの出し入れが不要となる。
【００２４】
［第１の実施形態］
続いて、本発明の第１の実施形態について図面を参照して詳細に説明する。図２は、本発明の第１の実施形態に係る無線通信装置のデータ受信系の構成を表したブロック図である。
【００２５】
図２を参照すると、復調部１０１と、復号部１０２と、ＭＡＣ  ＰＤＵ解析部１０３と、ＲＬＣヘッダ格納部１０４と、ＲＬＣ  ＰＤＵバッファ管理部１０５と、ＲＬＣ  ＰＤＵバッファ１０６と、ＣＲＣ結果抽出部１０７と、ＲＬＣ  ＳＤＵ作成命令部１０８と、ＲＬＣ  ＳＤＵ作成部１０９とを備えた構成が示されている。これらは、それぞれ次のように動作する。
【００２６】
復調部１０１は、伝搬路推定を行い、伝搬路推定結果を用いて受信信号を復調する回路である。
【００２７】
復号部１０２は復調結果を用いて、誤り訂正を行い、ＭＡＣ  ＰＤＵを出力してから、ＭＡＣ  ＰＤＵのＣＲＣ検査結果を算出する回路である。
【００２８】
ＭＡＣ  ＰＤＵ解析部１０３は、ＭＡＣ  ＰＤＵに含まれるＭＡＣサブヘッダを解析し、ＭＡＣ  ＰＤＵをＭＡＣ  ｃｏｎｔｒｏｌ  ｅｌｅｍｅｎｔ、ＲＬＣ  ｄａｔａ  ＰＤＵまたはＲＬＣｃｏｎｔｒｏｌＰＤＵに分解する回路である。また、ＭＡＣ  ＰＤＵ解析部１０３は、ＲＬＣ  ｄａｔａ  ＰＤＵからＲＬＣヘッダを抽出し、ＲＬＣヘッダ格納部１０４に出力する。
【００２９】
ＲＬＣヘッダ格納部１０４は、ＲＬＣ  ｄａｔａ  ＰＤＵ中のＲＬＣヘッダを格納するバッファである。
【００３０】
ＲＬＣ  ＰＤＵバッファ管理部１０５は、ＲＬＣ  ＰＤＵバッファ１０６を管理する回路である。ＲＬＣ  ＰＤＵバッファ管理部１０５は、個々のＲＬＣ  ｄａｔａ  ＰＤＵのＲＬＣ  ＰＤＵバッファ１０６における記憶場所を記憶している。
【００３１】
ＲＬＣ  ＰＤＵバッファ１０６はＲＬＣ  ｄａｔａ  ＰＤＵを格納するバッファである。
【００３２】
ＣＲＣ結果抽出部１０７は、復号部１０２によって算出されたＭＡＣ  ＰＤＵのＣＲＣ検査結果を検出し、ＲＬＣヘッダ格納部１０４に格納されたＲＬＣヘッダに埋め込む回路である。
【００３３】
ＲＬＣ  ＳＤＵ作成命令部１０８は、ＲＬＣ  ＳＤＵの作成に必要なＲＬＣ  ｄａｔａ  ＰＤＵの情報または廃棄すべきＲＬＣ  ｄａｔａ  ＰＤＵの情報を作成し、ＲＬＣ  ＰＤＵバッファ管理部１０５に通知する回路である。
【００３４】
ＲＬＣ  ＳＤＵ作成部１０９は、ＲＬＣ  ＰＤＵバッファ管理部１０５より入力されたＲＬＣ  ｄａｔａ  ＰＤＵを結合し、ＲＬＣ  ＳＤＵを構築（作成）する回路である。
【００３５】
続いて、送信信号を受信した場合の本実施形態の動作について順を追って説明する。以下の説明では、移動端末（移動局）からの送信信号を無線通信装置（基地局）が受信したものとして説明する。
【００３６】
移動端末（移動局）から送信された送信信号は、復調部１０１に入力される。復調部１０１は、受信信号の参照信号を用いて伝搬路推定を行い、周波数軸の伝搬路推定結果を行い、この結果より、周波数等化器のウェイトを算出する。受信信号にこのウェイトを掛けることにより、周波数等化を行う。また、復調部１０１は、周波数方向の信号からＬＬＲ（Ｌｏｇ  Ｌｉｋｅｌｉｈｏｏｄ  Ｒａｔｉｏ）を算出し、復号部１０２へ送る。
【００３７】
復号部１０２は、ＬＬＲをもとにターボ復号を行い、ＭＡＣ  ＰＤＵを復号し、ＭＡＣ  ＰＤＵ解析部１０３へ復号したＭＡＣ  ＰＤＵを出力する。また、復号部１０２は、ＭＡＣ  ＰＤＵのＣＲＣ検査結果を算出する。このＣＲＣ検査結果は、ＣＲＣ結果抽出部１０７から参照できるように保持される。
【００３８】
ＭＡＣ  ＰＤＵ解析部１０３は、ＭＡＣ  ＰＤＵが入力されると速やかに、即ち、ＭＡＣ  ＰＤＵのＣＲＣ検査結果が算出される前にＭＡＣサブヘッダの解析を開始する。
【００３９】
ＭＡＣ  ＰＤＵ内のＭＡＣサブヘッダの数（ＭＡＣ  ＳＤＵの数）またはＭＡＣ  ＰＤＵ長に上限値をあらかじめ設定しておき、ＭＡＣ  ＰＤＵ解析部１０３に、ＭＡＣサブヘッダの受信数がＭＡＣサブヘッダの上限値を超えた場合、もしくは、前記ＭＡＣ  ＰＤＵ長（サイズ）が上限値を超えている場合、ＭＡＣ  ＰＤＵを廃棄させ、以降の処理を中止させることができる。前記ＭＡＣ  ＰＤＵ長は、ＭＡＣサブヘッダ内のＬフィールド（非特許文献２参照；対応するＭＡＣ  ＳＤＵの長さを示す。）の和によって求めることも可能である。
【００４０】
ＭＡＣ  ＰＤＵ内のＭＡＣサブヘッダの数（ＭＡＣ  ＳＤＵの数）またはＭＡＣ  ＰＤＵ長が上限値以内である場合、ＭＡＣ  ＰＤＵ解析部１０３は、受信ＭＡＣ  ＰＤＵからＲＬＣ  ｄａｔａ  ＰＤＵを抽出し、ＲＬＣ  ＰＤＵバッファ管理部１０５に送る。また、ＭＡＣ  ＰＤＵ解析部１０３は、ＲＬＣ  ｄａｔａ  ＰＤＵからＲＬＣヘッダを抽出し、これをＲＬＣヘッダ格納部１０４に送り、ＭＡＣ  ＰＤＵのＣＲＣ検査結果が算出されるまで、保持させる。
【００４１】
ＲＬＣ  ＰＤＵバッファ管理部１０５は、ＭＡＣ  ＰＤＵ解析部１０３から入力されたＲＬＣ  ｄａｔａ  ＰＤＵをＲＬＣ  ＰＤＵバッファ１０６内の空き領域に格納する。一つのＭＡＣ  ＰＤＵ内に含まれるＲＬＣ  ｄａｔａ  ＰＤＵすべてに対し、ＭＡＣ  ＰＤＵ解析部１０３およびＲＬＣ  ＰＤＵバッファ管理部１０５は、前述した処理を繰り返す。
【００４２】
一方、ＣＲＣ結果抽出部１０７は、復号部１０２によるＭＡＣ  ＰＤＵのＣＲＣ検査結果を参照し、ＲＬＣヘッダおよびＲＬＣ  ｄａｔａ  ＰＤＵの格納位置情報、長さをＲＬＣ  ＳＤＵ作成命令部１０８に通知する。
【００４３】
前記通知は、ＣＲＣ検査結果にて誤り検出されたかどうかを示す１ビットの情報をＲＬＣヘッダ内に埋め込む（書き込む）ことによって行われる。ここでは、誤り検出された場合１、誤り検出されなかった場合０を埋め込むものとする。
【００４４】
ＣＲＣ検査結果が０の場合、ＲＬＣ  ＳＤＵ作成命令部１０８は、ＲＬＣヘッダ格納部１０４に格納されているＲＬＣ  ヘッダを用いてＲＬＣ  ｄａｔａ  ＰＤＵからＲＬＣ  ＳＤＵを構築するための情報を作成し、ＲＬＣ  ＰＤＵバッファ管理部１０５に通知する。この通知には、ＲＬＣ  ＳＤＵを構築するための情報として、使用するＲＬＣ  ＰＤＵのＲＬＣ  ＰＤＵバッファ１０６内の格納位置情報、ＲＬＣ  ＰＤＵの何バイト目から何バイトを用いるかの情報（ＲＬＣ  ＰＤＵ内オフセット、ＲＬＣ  ＳＤＵ内使用長）が含まれる。
【００４５】
ＲＬＣ  ＰＤＵバッファ管理部１０５は、上記した情報に基づき、ＲＬＣ  ＳＤＵバッファ１０６からＲＬＣ  ＳＤＵを取り出し、ＲＬＣ  ＳＤＵ作成部１０９に送る。
【００４６】
ＲＬＣ  ＳＤＵ作成部１０９は、取り出されたＲＬＣ  ＳＤＵを結合し、ＲＬＣ  ＳＤＵを構築する。また、ＲＬＣ  ＳＤＵ作成命令部１０８は、ＲＬＣ  ＰＤＵがＲＬＣ  ＳＤＵ構築に使用されたことによりＲＬＣ  ＰＤＵバッファ１０６内にこれ以上格納しておく必要がなくなった場合、ＲＬＣ  ＰＤＵバッファ管理部１０５にこのＲＬＣ  ＰＤＵバッファ１０６から削除する命令を出力する。この命令には、削除するＲＬＣ  ＰＤＵのバッファ内の前記格納位置情報が含まれる。
【００４７】
一方、ＣＲＣ検査結果が１の場合、ＲＬＣ  ＳＤＵ作成命令部１０８は、ＲＬＣ  ＰＤＵバッファ管理部１０５に、ビット１が埋め込まれたＲＬＣヘッダを含むＲＬＣ  ｄａｔａ  ＰＤＵをＲＬＣ  ＰＤＵバッファ１０６から削除する命令を出力する。この命令には、削除するＲＬＣ  ＰＤＵのバッファ内の前記格納位置情報が含まれる。
【００４８】
以上説明したように、図３、図４に示した構成ではＭＡＣ  ＰＤＵのＣＲＣ検査結果にて誤りが検出されないことがわかるまで、そのＭＡＣ  ＰＤＵの解析処理を保留しているのに対し、本実施形態では、ＭＡＣ  ＰＤＵのＣＲＣ検査結果が分かる前にＭＡＣ  ＰＤＵの解析を完了しているので、ＲＬＣレイヤにおける処理の短縮化を図ることが可能になる。
【００４９】
また、図３、図４に示した構成ではＣＲＣ検査結果が分かるまでＭＡＣ  ＰＤＵを暫定バッファに格納しておく必要があるのに対し、本実施形態ではＭＡＣ  ＰＤＵのＣＲＣ検査結果が分かる前にＭＡＣ  ＰＤＵを分解し、分解して取り出されたＲＬＣ  ｄａｔａ  ＰＤＵをＲＬＣ  ＰＤＵバッファ１０６に格納してしまうため、暫定バッファを無くし、メモリを節約することが可能になる。
【００５０】
また、本実施形態では、ＭＡＣ  ＰＤＵのＣＲＣ検査結果をＲＬＣ  ヘッダ中に埋め込み、ＲＬＣレイヤに位置するＣＲＣ結果抽出部１０７が参照し、ＲＬＣレイヤに位置するＲＬＣ  ＳＤＵ作成命令部１０８がＣＲＣ誤り検出されたＭＡＣ  ＰＤＵに対するＲＬＣ  ｄａｔａ  ＰＤＵを、ＲＬＣ  ＰＤＵバッファ１０６から削除している。このため、ＲＬＣ  ＳＤＵの構築後、ＲＬＣ  ＰＤＵバッファ１０６内で不要になったＲＬＣ  ｄａｔａ  ＰＤＵの削除と合わせて、ＲＬＣ  ＰＤＵバッファ１０６の削除管理をＲＬＣレイヤのみで一元管理できるという効果も生じる。
【００５１】
さらに、本実施形態では、入力されたＭＡＣ  ＰＤＵのサブヘッダ数が所定の上限値を超えた場合、入力されたＭＡＣ  ＰＤＵのサイズまたはＭＡＣ  ＰＤＵサブヘッダ内のＬフィールドの値の和が所定の上限値を超えた場合、当該ＭＡＣ  ＰＤＵを廃棄するようにしているため、ＲＬＣ  ＰＤＵバッファ１０６がオーバフローしてしまう事態も回避される。
【００５２】
以上、本発明の実施形態を説明したが、本発明は、上記した実施形態に限定されるものではなく、本発明の基本的技術的思想を逸脱しない範囲で、更なる変形・置換・調整を加えることができる。例えば、ＲＬＣヘッダにＣＲＣ検査結果を埋め込むものとして説明したが、ＲＬＣヘッダの後に設置したヘッダにＣＲＣ検査結果を埋め込むようにすることも可能である。
【００５３】
また例えば、上記した実施形態では、ＣＲＣを用いた誤り検出処理を用いるものとして説明したが、その他の誤り検出符号を用いた誤り検出処理を行う構成においても同様に適用することが可能である。
本発明の全開示（請求の範囲を含む）の枠内において、さらにその基本的技術思想に基づいて、実施形態ないし実施例の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【符号の説明】
【００５４】
１０１  復調部
１０２、１０２ａ  復号部
１０３、１０３ａ  ＭＡＣ  ＰＤＵ解析部
１０４  ＲＬＣヘッダ格納部
１０５  ＲＬＣ  ＰＤＵバッファ管理部
１０６  ＲＬＣ  ＰＤＵバッファ
１０７  ＣＲＣ結果抽出部
１０８、１０８ａ  ＲＬＣ  ＳＤＵ作成命令部
１０９  ＲＬＣ  ＳＤＵ作成部
２０１  ＲＬＣ  ＳＤＵバッファ
２０２  ＭＡＣ  ＰＤＵ作成部
２０３  ＣＲＣ付加部
２０４  符号化部
２０５  変調部
【図１】
2010137644.tif 000003
【図２】
2010137644.tif 000004
【図３】
2010137644.tif 000005
【図４】
2010137644.tif 000006
【図５】
2010137644.tif 000007
【国際調査報告】
2010137644.tif 000008
2010137644.tif 000009